(57)【要約】【課題】デジタル放送受信装置において、ユーザが視聴したいＴＶ番組を見逃すことを防ぐ。【解決手段】ＴＶ受像機は、ユーザによってＴＶ番組が視聴されている際に、無操作状態が所定時間以上経過して、待機モードへの移行タイミングが到来したとき（Ｓ２１）、ユーザによって視聴されているＴＶ番組を自動的に録画する自動録画処理がオンである場合（Ｓ２２）、自動録画を開始する旨のメッセージをディスプレイに表示する（Ｓ２３）。そして、ＴＶ受像機は、ユーザによって視聴されているＴＶ番組の放送終了時間を取得し（Ｓ２４）、自装置を省電力録画モードに移行させ（Ｓ２５）、ユーザによって視聴されているＴＶ番組をＨＤＤに録画する（Ｓ２６）。そして、取得した放送終了時間になったとき（Ｓ２７でＹＥＳ）、ＴＶ受像機は、ＴＶ番組の録画を終了した後に（Ｓ２８）、自装置を待機モードに移行させる（Ｓ２９）。【選択図】図８
2012095140.tif 000002
【特許請求の範囲】
【請求項１】
放送局から配信されるデジタル放送信号を受信する受信手段と、
前記受信手段によって受信されたデジタル放送信号のトランスポートストリームからテレビジョン番組の放送終了時間を取得する放送終了時間取得手段と、
ユーザからの操作指示を待つ動作モードである待機モードを有し、装置各部を制御する制御手段と、
前記受信手段によって受信されたデジタル放送信号に基づくテレビジョン番組を録画する録画手段とを備えるデジタル放送受信装置において、
前記制御手段は、ユーザによってテレビジョン番組が視聴されている際に、前記待機モードへの移行タイミングが到来したとき、前記放送終了時間取得手段を用いて、該ユーザによって視聴されているテレビジョン番組の放送終了時間を取得し、該ユーザによって視聴されているテレビジョン番組を、前記取得した放送終了時間まで、前記録画手段により録画した後に、自装置を前記待機モードに移行させることを特徴とするデジタル放送受信装置。
【請求項２】
前記制御手段は、
前記録画手段によりテレビジョン番組を録画するために必要である自装置各部の電源のみをオンにして録画を行う動作モードである省電力録画モードをさらに有し、
ユーザによってテレビジョン番組が視聴されている際に、前記待機モードへの移行タイミングが到来したとき、自装置を前記省電力録画モードに移行させた後、該ユーザによって視聴されているテレビジョン番組を、前記取得した放送終了時間まで、前記録画手段により録画してから、自装置を前記待機モードに移行させることを特徴とする請求項１に記載のデジタル放送受信装置。
【請求項３】
ユーザによってテレビジョン番組が視聴されている際に、前記待機モードへの移行タイミングが到来したとき、ユーザによって視聴されているテレビジョン番組を録画するか否かの選択を促すメッセージを報知するための報知手段と、
前記視聴されている番組を録画するか否かをユーザが選択するための選択手段とをさらに備えたことを特徴とする請求項２に記載のデジタル放送受信装置。
【発明の詳細な説明】
【技術分野】
【０００１】
本発明は、ＴＶ番組を録画可能なデジタル放送受信装置に関する。
【背景技術】
【０００２】
従来から、無操作状態が所定時間継続したときに、ユーザからの操作指示を待つ状態である、所謂、待機モードに自動的に移行するテレビジョン（以下、ＴＶという）受像機が知られている。この種のＴＶ受像機では、ユーザがＴＶ番組を視聴しながらうたた寝をしてしまうことによって、操作指示の無い状態で所定時間を経過した場合であっても、自動的に待機モードに移行してしまう。このような場合、待機モードでは、ＴＶ番組の映像の表示や音声の出力を行わないため、ユーザは寝たままとなりがちである。従って、ユーザは所望のＴＶ番組を視聴できず、見逃してしまう。
【０００３】
これに対して、特許文献１には、放送コンテンツの過去の録画予約情報に基づいて、複数の放送コンテンツから関連するものを自動的に録画し、ユーザによる録画忘れを防ぐ放送記録装置が開示されている。しかしながら、この放送記録装置では、過去の録画予約情報に無いＴＶ番組を自動的に録画できないため、上記問題を解決できない。
【０００４】
また、特許文献２には、番組情報を取得する際に電源をオフ状態にする機器であって、ユーザが視聴中や録画中には、番組情報を取得する場合であっても電源をオフ状態にしない放送受信装置が開示されている。しかしながら、この放送受信装置であっても上記問題を解決できない。
【先行技術文献】
【特許文献】
【０００５】
【特許文献１】特開２００８−１１２０７号公報
【特許文献２】特開２００８−１４１４４９号公報
【発明の概要】
【発明が解決しようとする課題】
【０００６】
本発明は、上述した問題点を解決するためになされたものであり、ユーザが視聴したいＴＶ番組を見逃すことを防ぐことが可能なデジタル放送受信装置を提供することを目的とする。
【課題を解決するための手段】
【０００７】
上記目的を達成するために請求項１の発明は、放送局から配信されるデジタル放送信号を受信する受信手段と、前記受信手段によって受信されたデジタル放送信号のトランスポートストリームからテレビジョン番組の放送終了時間を取得する放送終了時間取得手段と、ユーザからの操作指示を待つ動作モードである待機モードを有し、装置各部を制御する制御手段と、前記受信手段によって受信されたデジタル放送信号に基づくテレビジョン番組を録画する録画手段とを備えるデジタル放送受信装置において、前記制御手段は、ユーザによってテレビジョン番組が視聴されている際に、前記待機モードへの移行タイミングが到来したとき、前記放送終了時間取得手段を用いて、該ユーザによって視聴されているテレビジョン番組の放送終了時間を取得し、該ユーザによって視聴されているテレビジョン番組を、前記取得した放送終了時間まで、前記録画手段により録画した後に、自装置を前記待機モードに移行させるものである。
【０００８】
また、請求項２の発明は、請求項１に記載のデジタル放送受信装置において、前記制御手段は、前記録画手段によりテレビジョン番組を録画するために必要である自装置各部の電源のみをオンにして録画を行う動作モードである省電力録画モードをさらに有し、ユーザによってテレビジョン番組が視聴されている際に、前記待機モードへの移行タイミングが到来したとき、自装置を前記省電力録画モードに移行させた後、該ユーザによって視聴されているテレビジョン番組を、前記取得した放送終了時間まで、前記録画手段により録画してから、自装置を前記待機モードに移行させるものである。
【０００９】
また、請求項３の発明は、請求項２に記載のデジタル放送受信装置において、ユーザによってテレビジョン番組が視聴されている際に、前記待機モードへの移行タイミングが到来したとき、ユーザによって視聴されているテレビジョン番組を録画するか否かの選択を促すメッセージを報知するための報知手段と、前記視聴されている番組を録画するか否かをユーザが選択するための選択手段とをさらに備えたものである。
【発明の効果】
【００１０】
請求項１の発明によれば、ユーザによってテレビジョン番組が視聴されている際に、待機モードへの移行タイミングが到来したとき、ユーザによって視聴されているテレビジョン番組を放送終了時間まで録画した後に、自装置を待機モードに移行させる。そのため、例えば、ユーザがＴＶ番組を視聴しながらうたた寝をしてしまうことによって待機モードへの移行タイミングが到来した場合であっても、ユーザによって視聴されているテレビジョン番組を放送終了時間まで録画するので、ユーザは録画されたＴＶ番組を視聴することにより所望のＴＶ番組を見逃すことを防ぐことができる。
【００１１】
請求項２の発明によれば、ユーザによってテレビジョン番組が視聴されている際に、待機モードへの移行タイミングが到来したとき、自装置を省電力録画モードに移行させた後、ユーザによって視聴されているテレビジョン番組を放送終了時間まで録画してから、自装置を待機モードに移行させる。そのため、テレビジョン番組を録画する際の消費電力を低減することができる。
【００１２】
請求項３の発明によれば、ユーザによって視聴されているテレビジョン番組を録画するか否かの選択を促すメッセージを報知した後、ユーザが選択手段を用いて録画を選択したときに、テレビジョン番組の録画を行う。そのため、待機モードへの移行タイミングが到来したときに、ユーザによって視聴されているテレビジョン番組のすべてを録画する場合と比較して、テレビジョン番組の録画に必要な録画容量が少なくて良いため、録画容量を節約できる。
【図面の簡単な説明】
【００１３】
【図１】本発明の一実施形態に係るＴＶ受像機と、このＴＶ受像機を操作するためのリモコンとを示す斜視図。
【図２】上記ＴＶ受像機の内部構成を示すブロック図。
【図３】上記ＴＶ受像機のメモリの概略構成を示すブロック図。
【図４】上記ＴＶ受像機における放送終了時間取得処理の手順を示すフローチャート。
【図５】上記ＴＶ受像機によって受信されるＥＩＴ情報の一例を示すリスト。
【図６】上記ＴＶ受像機における自動録画処理のオン／オフ設定処理の手順を示すフローチャート。
【図７】上記ＴＶ受像機のディスプレイに表示される自動録画処理設定画面の一例を示す説明図。
【図８】上記ＴＶ受像機における自動録画処理の手順を示すフローチャート。
【図９】上記ＴＶ受像機のディスプレイに表示されるＯＳＤの一例を示す説明図。
【発明を実施するための形態】
【００１４】
以下、本発明の一実施形態に係るテレビジョン受像機（請求項におけるデジタル放送受信装置）について、図１乃至図３を参照して説明する。図１は、テレビジョン（以下、ＴＶという）受像機１と、このＴＶ受像機１を操作するリモコン（選択手段）３との外観を示し、図２は、ＴＶ受像機１の内部構成を示し、図３は、メモリ１７内の内部構成を示す。
【００１５】
ＴＶ受像機１は、アンテナ１１に接続され、デジタル放送信号を受信するデジタルチューナ部（受信手段）１２と、ＴＶ番組の映像やＯＳＤ（Ｏｎ−Ｓｃｒｅｅｎ  Ｄｉｓｐｌａｙ）を表示するディスプレイ１３と、ＴＶ番組の音声を出力するスピーカ１４と、リモコン３から送信されるリモコン信号を受信するリモコン信号受信部１５とを備える。また、ＴＶ受像機１は、筐体外部に露出するように設けられたＨＤＭＩ端子部１６と、各種情報を記憶したメモリ１７と、デジタルチューナ部１２によって受信されたＴＶ番組を録画するハードディスク（以下、ＨＤＤという；請求項における録画手段）１８と、ＨＤＤ１８に対するＴＶ番組の書き込みや読み出しを行うアクセス部１９と、装置各部を制御するための制御用マイコン（制御手段）１０とをさらに備える。
【００１６】
リモコン３は、ユ−ザによって操作される複数の操作ボタン（図示せず）を有し、ＴＶ受像機１に対してユーザによる操作に応じたリモコン信号を送信する。具体的には例えば、ユ−ザによるチャンネルの選局や、後述する自動録画処理のオン／オフの設定等の指示操作が行なわれると、リモコン３は、これらを指示するためのリモコン信号をＴＶ受像機１に送信する。
【００１７】
デジタルチューナ部１２は、デコ−ダ１２ａを有し、アンテナ１１を介して、放送局から配信される各チャンネルのデジタル放送信号を受信する。また、デジタルチューナ部１２は、放送局から配信されるデジタル放送信号のトランスポートストリーム（以下、ＴＳという）に含まれるＥＩＴ（Ｅｖｅｎｔ  Ｉｎｆｏｒｍａｔｉｏｎ  Ｔａｂｌｅ）情報等を受信して制御用マイコン１０に出力する。デコ−ダ１２ａは、例えばＭＰＥＧ−２方式やＨ．２６４規格等で符号化されたＴＶ番組のデジタル放送信号を復号して、復号したＴＶ番組の映像信号及び音声信号を制御用マイコン１０に出力する。
【００１８】
ディスプレイ１３は、液晶パネル１３ａと、駆動部１３ｂと、液晶パネル１３ａを照射するためのバックライト１３ｃとを有し、制御用マイコン１０から送信された映像信号に基づく映像を表示する。液晶パネル１３ａは、バックライト１３ｃからの光の透過率を変更する液晶素子を有し、個々の液晶素子がバックライト１３ｃから出射された光を透過又は遮蔽することにより映像を表示する。駆動部１３ｂは、制御用マイコン１０から入力された映像信号に基づいて液晶パネル１３ａに配列されている個々の液晶素子のスイッチング素子を開閉制御する。
【００１９】
リモコン信号受信部１５は、リモコン３から送信されるリモコン信号を受信して、制御用マイコン１０に出力する。
【００２０】
メモリ１７は、図３に示すように、制御用マイコン１０を動作させるためのプログラム１７ａと、番組情報１７ｂと、自動録画処理設定情報１７ｃと、待機モード移行閾値時間１７ｄとを記憶している。
【００２１】
番組情報１７ｂは、デジタルチューナ部１２によって受信されるＴＳ内のＥＩＴ情報に基づき、ＴＶ番組の放送局名、番組タイトル、放送開始時間、及び放送時間の長さ等の情報を格納している。自動録画処理設定情報１７ｃは、ユーザによって選択された自動録画処理のオン／オンの設定情報を格納している。
【００２２】
待機モード移行閾値時間１７ｄは、無操作状態やオフタイマーにおいて、待機モードへの移行タイミングとなる閾値時間を格納している。具体的には、例えば、待機モード移行閾値時間１７ｄが「５分」である場合、ユーザによる無操作状態が５分間継続したとき、待機モードに移行するタイミングが到来する。また、オフタイマーとして、待機モード移行閾値時間１７ｄを設定した場合、その時間が経過したとき、待機モードに移行するタイミングが到来する。
【００２３】
ＨＤＤ１８は、デジタルチューナ部１２によって受信されたＴＶ番組を録画する。アクセス部１９は、ＨＤＤ１８に対してＴＶ番組の書き込みや読み出しを行う。
【００２４】
制御用マイコン１０は、映像出力部１０ａと、音声出力部１０ｂと、録画処理部１０ｃと、番組情報取得部１０ｄと、放送終了時間取得部（放送終了時間取得手段）１０ｅと、ＯＳＤ出力部（報知手段）１０ｆとを有し、ユーザによるリモコン３の操作に基づいて自装置を動作させる。
【００２５】
映像出力部１０ａは、デジタルチューナ部１２によって受信されたＴＶ番組の映像信号や、アクセス部１９を介してＨＤＤ１８から読み出したＴＶ番組の映像信号をディスプレイ１３に出力する。音声出力部１０ｂは、デジタルチューナ部１２によって受信されたＴＶ番組の音声信号や、アクセス部１９を介してＨＤＤ１８から読み出したＴＶ番組の音声信号をスピーカ１４に出力する。
【００２６】
録画処理部１０ｃは、ユーザによる録画指示や自動録画処理により、デジタルチューナ部１２によって受信されたＴＶ番組を、アクセス部１９を用いてＨＤＤ１８に録画する処理を行う。番組情報取得部１０ｄは、デジタルチューナ部１２によって受信されたＴＳ内のＥＩＴ情報から番組情報１７ｂを取得して、メモリ１７に格納する。
【００２７】
放送終了時間取得部１０ｅは、デジタルチューナ部１２によって受信されたデジタル放送信号のＴＳ内のＥＩＴ情報からＴＶ番組の放送終了時間を取得する処理（放送終了時間取得処理）を行う。ＯＳＤ出力部１０ｆは、各種メッセ−ジの映像信号をディスプレイ１３に出力してＯＳＤで表示させる。
【００２８】
制御用マイコン１０は、通常動作を行う通常動作モードや、ユーザからの操作指示を待つ待機モードや、ＴＶ番組をＨＤＤ１８に録画するために必要である自装置各部の電源のみをオンにして録画を行う省電力録画モード等の複数の動作モードを有する。制御用マイコン１０は、待機モードで動作しているとき、主電源（図示せず）をオフにして、リモコン信号受信部１５と、リモコン信号受信部１５から出力される信号を受信する制御用マイコン１０の機能とをオンにして自装置を動作させる。
【００２９】
また、制御用マイコン１０は、省電力録画モードで動作しているとき、ディスプレイ１３の駆動部１３ｂやバックライト１３ｃと、スピーカ１４と、ＨＤＭＩ端子部１６との電源をオフにし、デジタルチューナ部１２と、メモリ１７と、アクセス部１９と、ＨＤＤ１８と、制御用マイコン１０の録画処理部１０ｃとの電源をオンにしてＴＶ番組の録画を行うように自装置を動作させる。
【００３０】
次に、放送終了時間取得処理の手順について、図４及び図５を参照して説明する。図４は、放送終了時間取得処理の手順を示すフローチャートである。図５は、ＥＩＴ情報の構文を示す。
【００３１】
まず、制御用マイコン１０は、デジタルチューナ部１２からＴＳ内に含まれるＥＩＴ情報を取得し（Ｓ１）、ＥＩＴ情報から、放送終了時間を取得したいＴＶ番組の放送開始時間と放送時間とを取得し（Ｓ２）、放送開始時間と放送時間に基づいて放送終了時間を算出する（Ｓ３）。具体的には例えば、図５に示すＥＩＴ情報から、放送開始時間（「ｓｔａｒｔ＿ｔｉｍｅ」）の値と、放送時間（「ｄｕｒａｔｉｏｎ」）の値とを取得した後、これらの値を用いて放送終了時間を算出する。例えば「ｓｔａｒｔ＿ｔｉｍｅ」がＰＭ６：００であり、「ｄｕｒａｔｉｏｎ」が１時間３０分である場合、そのＴＶ番組の放送終了時間は、ＰＭ７：３０と算出される。
【００３２】
次に、自動録画処理のオン／オフ設定処理について、図６及び図７を参照して説明する。図６は、自動録画処理のオン／オフ設定処理の手順を示すフローチャートである。図７は、ディスプレイ１３に表示される自動録画処理設定画面の一例を示す。
【００３３】
まず、ユーザがリモコン３を操作して、メニュー画面から自動録画処理設定画面の表示を指示すると（Ｓ１１）、制御用マイコン１０は、ディスプレイ１３に、自動録画処理設定画面（図７参照）を表示する（Ｓ１２）。そして、ユーザによって、自動録画処理がオン設定された場合（Ｓ１３でＹＥＳ）、すなわち、自動録画処理設定画面で「オン設定」が選択された場合、制御用マイコン１０は、自動録画処理設定情報１７ｃにオン設定の情報を格納する（Ｓ１４）。一方、ユーザによって、自動録画処理がオフされた場合（Ｓ１３でＮＯ）、すなわち、自動録画処理設定画面で「オフ設定」が選択された場合、制御用マイコン１０は、自動録画処理設定情報１７ｃにオフ設定の情報を格納する（Ｓ１５）。
【００３４】
次に、自動録画処理の手順について、図８に示すフローチャートを参照して説明する。ここでは、ユーザがＴＶ番組を視聴しているものとする。
【００３５】
まず、制御用マイコン１０は、ユーザによる無操作状態が待機モード移行閾値時間１７ｄ経過して、待機モードへの移行タイミングが到来したとき（Ｓ２１）、自動録画処理がオンである場合（Ｓ２２でＹＥＳ）、すなわち、自動録画処理設定情報１７ｃがオン設定である場合、ＯＳＤ出力部１０ｆを用いて、自動録画を開始する旨のメッセージをディスプレイ１３に表示する（Ｓ２３）。ディスプレイ１３に表示するメッセージは、例えば、「視聴中のＴＶ番組の録画を開始します。」である。
【００３６】
そして、制御用マイコン１０は、放送終了時間取得部１０ｅを用いて、ユーザによって視聴されているＴＶ番組の放送終了時間を取得し（Ｓ２４）、自装置を省電力録画モードに移行させる（Ｓ２５）。すなわち、省電力録画モードに移行させることによって、バックライト１３ｃ等の電源をオフにし、自装置内部においてＴＶ番組の録画に必要な部分のみを電源オンして動作させる。
【００３７】
そして、制御用マイコン１０は、ユーザによって視聴されているＴＶ番組をＨＤＤ１８に録画し（Ｓ２６）、上記Ｓ２４で取得した放送終了時間になったとき（Ｓ２７でＹＥＳ）、ＴＶ番組の録画を終了した後に（Ｓ２８）、自装置を待機モードに移行させる（Ｓ２９）。
【００３８】
上述したように、本実施形態に係るＴＶ受像機１においては、ユーザによってＴＶ番組が視聴されている際に、待機モードへの移行タイミングが到来したとき、ユーザによって視聴されているＴＶ番組を放送終了時間までＨＤＤ１８に録画した後に、自装置を待機モードに移行させる。そのため、例えば、ユーザがＴＶ番組を視聴しながらうたた寝をしてしまうことによって待機モードへの移行タイミングが到来した場合であっても、ユーザによって視聴されているＴＶ番組を放送終了時間まで録画するので、ユーザは録画されたＴＶ番組を視聴することにより所望のＴＶ番組を見逃すことを防ぐことができる。
【００３９】
また、ＴＶ受像機１は、ユーザによってＴＶ番組が視聴されている際に、待機モードへの移行タイミングが到来したとき、自装置を省電力録画モードに移行させた後、ユーザによって視聴されているＴＶ番組を放送終了時間まで録画してから、自装置を待機モードに移行させる。そのため、ＴＶ番組を録画する際の消費電力を低減することができる。
【００４０】
なお、本発明は、上記実施形態の構成に限られず、発明の趣旨を変更しない範囲で種々の変形が可能である。例えば、上記実施形態の自動録画処理において、自動録画を開始する旨のメッセージをディスプレイに表示した後、ＴＶ番組の録画を開始する例を示したが、これに限らず、例えば、図９に示すように、ユーザによって視聴されているテレビジョン番組を録画するか否かの選択を促すメッセージ（「待機モードに移行します。視聴しているＴＶ番組を録画しますか？」）を表示した後に、ユーザによって「録画開始」が選択された場合に、ＴＶ番組の録画を開始するものであってもよい。
【００４１】
この場合、ＴＶ受像機は、ユーザによって視聴されているＴＶ番組を録画するか否かの選択を促すメッセージを表示した後、ユーザが録画する旨を選択したときに、ＴＶ番組の録画を行うので、ユーザによって視聴されているＴＶ番組のすべてを録画する場合と比較して、ＴＶ番組の録画に必要なＨＤＤの容量が少なくて良いため、ＨＤＤの録画容量を節約できる。
【００４２】
また、ＴＶ受像機は、ＴＶ番組の放送終了時間を、インターネット等を介して取得した番組情報を用いて取得してもよいし、デジタル放送信号のＴＳに含まれるＥＩＴ情報以外の情報を用いて取得してもよい。
【００４３】
また、ＴＶ受像機は、ユーザによって視聴されているＴＶ番組を、ＴＶ受像機に接続されたハードディスクレコーダー等の外部機器に録画してもよい。
【符号の説明】
【００４４】
１  テレビジョン受像機（デジタル放送受信装置）
３  リモコン（選択手段）３
１０  制御用マイコン（制御手段）
１２  デジタルチューナ部（受信手段）
１８  ＨＤＤ（録画手段）
１０ｅ  放送終了時間取得部（放送終了時間取得手段）
１０ｆ  ＯＳＤ出力部（報知手段）
【図１】
2012095140.tif 000003
【図２】
2012095140.tif 000004
【図３】
2012095140.tif 000005
【図４】
2012095140.tif 000006
【図５】
2012095140.tif 000007
【図６】
2012095140.tif 000008
【図７】
2012095140.tif 000009
【図８】
2012095140.tif 000010
【図９】
2012095140.tif 000011